(57)【要約】【課題】励磁時の磁気吸引力を大幅に向上させることのできるラッチングリレーを提供する。【解決手段】コイル１３を巻装し、両側に磁極片１１ａ、１１ｂを有した継鉄１１と、各端部が各磁極片に磁気吸引されて反転動作を行う接極子２４と、磁極片２４間に橋絡連結された補助継鉄２２と、接極子２４と磁極片１１ａと補助継鉄２２とに通じる閉磁路を形成させる永久磁石２１と、接極子２４の反転動作によって動作する制御接点とを備え、制御接点はコイル励磁時に接点切換えがなされるとともに、コイル消磁時には永久磁石２１の磁力によって切換え状態が保持されるようにしたラッチングリレーにおいて、補助継鉄２２は、継鉄１１への橋絡方向に沿って開設された長孔２２ｃを有し、これによって、コイル励磁時における継鉄１１から流れ込む磁束を低減させるようにしている。【選択図】図１
2009199732.tif 000002
【特許請求の範囲】
【請求項１】
コイルを巻装し、両側に磁極片を有した略コ字型の継鉄と、中心を支点として、両端のそれぞれが上記磁極片のそれぞれに対して磁気吸引されて反転動作を行う接極子と、上記磁極片間に橋絡連結された補助継鉄と、上記接極子と上記補助継鉄との間に配設され、上記接極子と該接極子が吸引された上記継鉄の磁極片と上記補助継鉄とに通じる閉磁路を形成させる永久磁石と、上記接極子の反転動作によって動作する制御接点とを備え、上記制御接点は、上記コイルが励磁されたときに接点切換えがなされるとともに、上記コイルが消磁されたときには、上記永久磁石の磁力によって切換え状態が保持されるようにしたラッチングリレーにおいて、
上記補助継鉄は、上記継鉄への橋絡方向に沿って開設された長孔を有し、これによって、上記コイル励磁時における上記継鉄から流れ込む磁束を低減させるようにしたことを特徴とするラッチングリレー。
【請求項２】
コイルを巻装し、両側に磁極片を有した略コ型の継鉄と、中心を支点として、両端のそれぞれが上記磁極片のそれぞれに対して磁気吸引されて反転動作を行う接極子と、上記磁極片間に橋絡連結された補助継鉄と、上記接極子と上記補助継鉄との間に配設され、上記接極子と該接極子が吸引された上記継鉄の磁極片と上記補助継鉄とに通じる閉磁路を形成させる永久磁石と、上記接極子の反転動作により切換え動作する制御接点とを備え、上記制御接点は、上記コイルが励磁されたときに切換え動作がされるとともに、上記コイルが消磁されたときには、上記永久磁石の磁力によって切換え状態が保持されるようにしたラッチングリレーにおいて、
上記補助継鉄は、板状の本体部を備え、該本体部の両端に、上記各磁極片に橋絡させるための１対の係合部を設けた形状とされ、該係合部の磁気抵抗が上記本体部の磁気抵抗よりも大きくなるようにしており、これによって、上記コイル励磁時における上記継鉄から流れ込む磁束を低減させるようにしたことを特徴とするラッチングリレー。
【請求項３】
請求項２において、
上記係合部は、上記本体部よりも薄厚に形成されている、ラッチングリレー。
【請求項４】
請求項２において、
上記係合部は、非磁性体よりなる、ラッチングリレー。
【発明の詳細な説明】
【技術分野】
【０００１】
本発明は、制御接点の切換え動作を電磁石への通電により制御し、かつ通電を停止したときには永久磁石によって切換え状態を保持できるようにしたラッチングリレーに関するものである。
【背景技術】
【０００２】
この種のラッチングリレーは、電磁石のコイルへ正、逆電流を交互に流すことで、継鉄の両端の２つの磁極片のそれぞれに対して、接極子の両端のそれぞれを交互に磁気吸引させるようにして、その反転動作によって制御接点の切換え動作をさせるようにしている。
【０００３】
またこの種のラッチングリレーは、コイルへの通電を停止して電磁石を無励磁にした時には、永久磁石が作用して閉磁路が形成されることで、接極子の磁極片への吸引状態が維持されて、制御接点の切換え状態が保持される自己保持の構造となっている。
【０００４】
無励磁の状態を介して、次に電流を逆転させて電磁石を励磁させると、離反していた他方の磁極片と接極子の他端との間に強力な磁束による磁路が形成され、それによって接極子はシーソーのごとく反転動作する。
【０００５】
図８（ａ）、（ｂ）は、従来のラッチングリレーの無励磁時、励磁時の磁束の流れを示した模式説明図である。
【０００６】
継鉄１１１はコイル（不図示）が巻装され両側に磁極片１１１ａ、１１１ｂを有してコ字型に形成され、接極子１２４は両磁極片１１１ａ、１１１ｂに対しシーソー反転できるように配設されている。補助継鉄１２２は両磁極片１１１ａ、１１１ｂ間に橋絡連結され、永久磁石１２１は、その一方の極（図例ではＳ極）が接極子１２４の中心（支点）に接触して配置され、他方の極（Ｎ極）が補助継鉄１２２に接触して配置されている。つまり、この補助継鉄１２２は、永久磁石１２１と継鉄１１１の各磁極片１１１ａ、１１１ｂとの間に磁路を形成させるバイパスとして作用する。
【０００７】
電磁石が無励磁の状態における閉磁路は、継鉄１１１の一方の磁極片１１１ｂと、その磁極片１１１ｂに吸引された接極子１２４の一端とを結ぶ経路に磁束が流れるように形成される。すなわち図８（ａ）に示すように、永久磁石１２１のＮ極から出た磁束は、補助継鉄１２２を経由して、接極子１２４を磁気吸引している磁極片１１１ｂへ流れ、接極子１２４を通過して、永久磁石１２１のＳ極へと戻ってくる。また、永久磁石のＮ極からは、補助継鉄１２２を介して他方の磁極片１１１ａへも磁束が流れる。
【０００８】
そして、接極子１２４を反転動作させるべくコイルに通電してコイルが励磁されると、図８（ｂ）に示すように、励磁により生成された磁束は接極子１２４を磁気吸引していない磁極片１１１ａへと流れ、それによってその磁極片は磁極を形成し、接極子１２４の一端を離反させるとともに他端を磁気吸引するように作用する。
【０００９】
このように、ラッチングリレーは接極子１２４の反転動作を行うが、従来のラッチングリレーでは、図８（ｂ）に示すように、コイルの励磁時には、発生した磁束の一部が継鉄１１１に連結された補助継鉄１２２にも流れ込むため、接極子１２４を吸引すべき磁極片１１１ａへの磁束が減少する構造となっていた。そのため磁極片１１１ａの磁気吸引力は低減され、コイル電流に見合ったものとはなっていなかった。
【００１０】
磁極片１１１ａ、１１１ｂの磁気吸引力が低くても、それに合わせて制御接点（可動接点バネ）のバネ負荷を調整すれば、正常な接点切換え動作をさせることはできるが、小さい磁気吸引力幅での調整を行わなければならず、調整は困難なものとなっていた。
【００１１】
図９は、磁気吸引力とバネ負荷との相関を示すグラフで、横軸が接点距離、縦軸が力を示している。また、グラフの下には、横軸に対応した、制御接点（可動接点バネ１３２）と接極子１２４の状態のイメージ図を示している。なお、１３３は可動接点、１４２は固定端子板、１４３は固定接点を示している。
【００１２】
このグラフにおいては、可動接点バネ１３２のバネ負荷が無励磁時における磁気吸引力よりも小さくなるよう調整されているが、図中のＡ、Ｂで示した磁気吸引力幅が小さければ当然に、可動接点バネのバネ負荷の調整は困難となる。ここで、Ａは接点オンの状態（可動接点が固定接点に接触した状態）からオフの状態へ切り換わる際、あるいはその逆方向に切り換わる際に、可動接点バネが全く付勢されていないニュートラルな状態となったときの磁気吸引力幅、Ｂはオンまたはオフに切り換わったときの磁気吸引力幅である。
【００１３】
このようなラッチングリレーにおいて、電流値を変えることなく、また電磁石サイズを大きくすることなく磁気吸引力を大きくするためには、励磁時における磁束の補助継鉄への流れ込みを少なくさせればよく、つまり補助継鉄の磁気抵抗を大きくすればよい。
【００１４】
たとえば特許文献１などには、２つの開口を開設した補助継鉄を使用した電磁リレーが開示されている。この文献に示された補助継鉄のように、継鉄からの磁束の入り口部分に開口を設けて磁気抵抗を大きくすれば、磁束の流れ込みが低減できることが予想される。なお、この文献には、開口による作用、効果についてはなんら記載されていない。
【特許文献１】特開２００２−８５０４号公報
【発明の開示】
【発明が解決しようとする課題】
【００１５】
しかしながら、本発明の発明者らの実験によれば、上記文献のような補助継鉄に設けた２つの開口によって、継鉄の磁極片の磁気吸引力の大幅な向上効果が得られておらず、本発明者らは、磁気吸引力をさらに向上させるための種々の方法を試行していた。
【００１６】
本発明は、このような事情を考慮して提案されたもので、その目的は、電流値、電磁石サイズなどを変更することなく、コイル励磁時の磁気吸引力を大幅に向上させることのできるラッチングリレーを提供することにある。
【課題を解決するための手段】
【００１７】
上記目的を達成するために、本発明者らは、以下の第１、第２の本発明を提案している。
【００１８】
第１の本発明である請求項１に記載のラッチングリレーは、コイルを巻装し、両側に磁極片を有した略コ型の継鉄と、中心を支点として、両端のそれぞれが磁極片のそれぞれに対して磁気吸引されて反転動作を行う接極子と、磁極片間に橋絡連結された補助継鉄と、接極子と補助継鉄との間に配設され、接極子と該接極子が吸引された継鉄の磁極片と補助継鉄とに通じる閉磁路を形成させる永久磁石と、接極子の反転動作によって動作する制御接点とを備え、制御接点は、コイルが励磁されたときに接点切換えがなされるとともに、コイルが消磁されたときには、永久磁石の磁力によって切換え状態が保持されるようにしたラッチングリレーにおいて、補助継鉄は、継鉄への橋絡方向に沿って開設された長孔を有し、これによって、コイル励磁時における継鉄から流れ込む磁束を低減させるようにしたことを特徴とする。
【００１９】
第２の本発明である請求項２に記載のラッチングリレーは、コイルを巻装し、両側に磁極片を有した略コ型の継鉄と、中心を支点として、両端のそれぞれが磁極片のそれぞれに対して磁気吸引されて反転動作を行う接極子と、磁極片間に橋絡連結された補助継鉄と、接極子と補助継鉄との間に配設され、接極子と該接極子が吸引された継鉄の磁極片と補助継鉄とに通じる閉磁路を形成させる永久磁石と、接極子の反転動作によって動作する制御接点とを備え、制御接点は、コイルが励磁されたときに接点切換えがなされるとともに、コイルが消磁されたときには、永久磁石の磁力によって切換え状態が保持されるようにしたラッチングリレーにおいて、補助継鉄は、板状の本体部を備え、該本体部の両端に、各磁極片に橋絡させるための１対の係合部を設けた形状とされ、該係合部の磁気抵抗が本体部の磁気抵抗よりも大きくなるようにしており、これによって、コイル励磁時における継鉄から流れ込む磁束を低減させるようにしたことを特徴とする。
【００２０】
請求項３に記載のラッチングリレーは、請求項２において、係合部が本体部よりも薄厚に形成されている。
【００２１】
請求項４に記載のラッチングリレーは、請求項２において、係合部が非磁性体よりなるものである。
【発明の効果】
【００２２】
請求項１に記載のラッチングリレーによれば、補助継鉄に継鉄への橋絡方向に沿った長孔を開設しているため、磁気抵抗は孔のないものにくらべて大きくなり、励磁時に継鉄から補助継鉄に流れ込んでくる磁束の量を少なくでき、これによって、継鉄から磁極片へ十分な量の磁束を流すことができる。その結果、磁極片の接極子に対する磁気吸引力は増大し、十分な磁気吸引力幅でもって、制御接点のバネ負荷の調整を容易に行うことができる。
【００２３】
請求項２〜４に記載のラッチングリレーによれば、補助継鉄の両側の係合部の磁気抵抗を本体部よりも大きくしているため、係合部を本体部と同様の磁気抵抗としているものにくらべて、励磁時に継鉄から補助継鉄に流れ込んでくる磁束の量を少なくでき、これによって、継鉄から磁極片へ十分な量の磁束を流すことができる。それによって同様に、磁極片の接極子に対する磁気吸引力は増大し、十分な磁気吸引力幅でもって、制御接点のバネ負荷の調整を容易に行うことができる。
【００２４】
請求項３では、係合部の磁気抵抗を大きくするため係合部を薄厚に形成しており、そのため簡易な方法、構造で磁気吸引力の向上が実現できる。
【００２５】
請求項４では、係合部を非磁性体材料で構成させているため、補助継鉄への磁束の流れ込みを確実に減少させることができる。
【発明を実施するための最良の形態】
【００２６】
以下に、第１、第２の本発明のラッチングリレーに対応した第１、第２の実施形態について、添付図面を参照しながら説明する。
【００２７】
図３は、第１の実施形態の説明図で、カバー部材（不図示）をはずした状態のラッチングリレーの正面図を示している。また、図４は同ラッチングリレーの構成ブロックである電磁石ブロック１０と接極子ブロック２０の連結関係を示したもので、（ａ）は分解斜視図、（ｂ）は結合状態を示した斜視図である。
【００２８】
図３に示すように、ラッチングリレー１は、電磁石ブロック１０と、接極子ブロック２０と、可動接点ブロック３０と、固定接点ブロック４０などで構成されている。各ブロックは、それぞれあらかじめ組み立てられ、ブロック化されており、絶縁性樹脂で形成されたベース部材２上に配置されている。また、接極子ブロック２０と可動接点ブロック３０は、リンク部材５０によりリンクされている。これらの部材をベース部材２に配設した後に、カバー部材が被せられる。
【００２９】
第１の実施形態は、長孔を開設させた補助継鉄２２を使用したものである。この補助継鉄２２は接極子ブロック２０の一構成部材であり、図４に示すように、電磁石ブロック１０の継鉄１１の両側に形成された磁極片１１ａ、１１ｂの間に橋絡連結されて、両ブロック１０、２０は連結される。
【００３０】
電磁石ブロック１０は、略コ字型の継鉄１１と、継鉄１１と一体的にインサート成形されたコイルボビン１２と、コイルボビン１２に巻装されたコイル１３などで構成されている。なお、符号１４はコイルの端子を示す。継鉄１１の両端は、それぞれ略Ｔ字型に形成され、かつ、同じ方向に平行に突出しており、それぞれは磁極片１１ａ、１１ｂとして構成される。
【００３１】
可動接点ブロック３０は、金属板を所定形状に折り曲げて形成された可動側端子３１と、バネ性を有する金属薄板で形成された可動接点バネ３２と、そのバネ３２に固着された金属製の可動接点３３などで構成されている。さらに、可動接点バネ３２の先端には、リンク部材５０と係合される突部３２ａが形成されている。また、固定接点ブロック４０は、バネ性を有した金属板を所定形状に折り曲げて形成され、固定側端子４１を有した固定端子板４２と、金属製の固定接点４３などで構成されている。
【００３２】
ついで、本実施形態における接極子ブロック２０の詳細構造について、図１、２を参照しながら説明する。
【００３３】
図１は接極子ブロック２０の構成を示す分解斜視図、図２は接極子ブロック２０の組み立てた状態を示す斜視図である。
【００３４】
図１、２に示すように、接極子ブロック２０は、略直方体の永久磁石２１と、永久磁石２１が固着される補助継鉄２２と、補助継鉄２２に対して回転可能に軸支されたヒンジ部材２３と、ヒンジ部材２３に固定され、永久磁石２１に対して回動可能に保持された接極子２４などで構成されている。
【００３５】
補助継鉄２２は、たとえば軟磁性鉄板などをプレスおよび曲げ加工して形成された板状体であり、永久磁石２１に吸着され、永久磁石２１を固定する本体部２２ａと、電磁石ブロック１０の継鉄１１の両磁極片１１ａ、１１ｂに係合、固定するために本体部２２ａより長手方向に突出した係合部２２ｂと、本体部２２ａに対して略直交する方向で、かつ、永久磁石２１側に突出するように形成された一対の腕部２２ｅと、ベース部材２に圧入される一対の脚部２２ｄとを有する。各腕部２２ｅには、それぞれ本体部２２ａに対して略平行で、かつ、永久磁石２１とは反対側に突出するように略円筒状の係合ボス２２ｆが形成されている。
【００３６】
また、補助継鉄２２には、長手方向（橋絡方向）に沿った長孔２２ｃ（長方形の開口）が形成されている。この長孔２２ｃは、補助継鉄２２の磁気抵抗を大きくするためのもので、抵抗をより大きくするために、開口２２ｃの長手辺の長さをより長くすることが望ましく、図１に示すように、本体部２２ａが長孔２２ｃによって分断され、両係合部２２ｂのみによって、分断された本体部２２ａをつなぐような形状が好適なものとして使用される。
【００３７】
さらに、補助継鉄２２の本体部２２ａには、永久磁石２１の位置決めをするための複数の位置決めボス２２ｇが形成されている。なお、先述した図４では、永久磁石２１と補助継鉄２２を固定するために、位置決めボス２２ｇ付近に接着剤２５を塗布した状態を示している。
【００３８】
接極子２４は、たとえば軟磁性鉄板などをプレス加工して形成された略長方形の板状体であり、永久磁石２１に対向する面の略中央部において永久磁石２１側に突出するように形成された支点用凸部２４ａと、長手方向において、支点用凸部２４ａに対して対称となるように、永久磁石２１とは反対側に突出するように形成された一対の係合突起２４ｂと、略長方形の一方の短辺に形成され、リンク部材５０を介して可動接点ブロック３０の可動接点バネ３２と連結される突片２４ｃを有する。
【００３９】
ヒンジ部材２３は、たとえば、りん青銅などのばね性を有する金属薄板をプレスおよび曲げ加工して形成されたものであり、接極子２４の、永久磁石２１とは反対側の面に固定される固定部２３ａと、固定部２３ａの長手方向の中央部から長手方向に直交する方向に突出するとともに、永久磁石２１を挟み込むように永久磁石２１側に折曲、突出した一対の係合腕片２３ｂを有する。
【００４０】
固定部２３ａには、接極子２４の一対の係合突起２４ｂにそれぞれ係合、係止される一対の係止孔２３ｃが形成されている。また、一対の係合腕片２３ｂには、それぞれ補助継鉄２２の腕部２２ｅに形成された係合ボス２２ｆと係合される係合孔２３ｄが形成されている。さらに、係合腕片２３ｂの先端には、補助継鉄２２の係合ボス２２ｆと係合孔２３ｄとを係合させる際に、係合腕片２３ｂが係合ボス２２ｃを乗り越えやすくするために、それぞれ外側に開くように折り曲げられたガイド片２３ｅが形成されている。
【００４１】
ヒンジ部材２３の係合腕片２３ｂは、所定の反発力または付勢力を発生し得るように形成されているので、接極子ブロック２０を組み立てた図２に示す状態では、この係合腕片２３ｂの変形による付勢力により、一体化されたヒンジ部材２３と接極子２４が、一体化された永久磁石２１と補助継鉄２２から離れる方向に付勢される。
【００４２】
また、円筒状の係合ボス２２ｆを円形状の係合孔２３ｄに係合させることにより、ヒンジ部材２３は補助継鉄２２に対して回転可能に軸支され、さらに、ヒンジ部材２３に固定された接極子２４が、補助継鉄２２に固定された永久磁石２１に対して、支点用凸部２４ａを中心としてシーソー反転動作が可能なように保持され、矢印Ｘで示すように、ヒンジ部材２３全体が補助継鉄２２に対して回転し、矢印Ｙで示すように接極子２４の両端部の反転動作が可能となる。
【００４３】
永久磁石２１は、たとえば補助継鉄２２側をＮ極、接極子２４側をＳ極となるような配置とし、接極子ブロック２０を組み立てた際には、補助継鉄２２と接極子２４との間に挟まれるように配設される。永久磁石２１のＮ極から出る磁束は、補助継鉄２２、コイル１３の励磁によって接極子２４の一端を吸引した継鉄１１の磁極片１１ｂ、接極子２４を経由して、永久磁石２１のＳ極へと戻る。
【００４４】
このような永久磁石２１による磁力作用があるため、コイル１３への通電を止めて無励磁状態になった後でも、接極子２４の磁気吸着の状態は維持される。なお、コイル１３の励磁による制御接点のオン、オフ切換え動作については、図３を参照しながら後述する。
【００４５】
上述したように、本実施形態では、磁気抵抗を大きくするために補助継鉄２２に長孔２２ｃを設けており、それによって、コイル１３の励磁時における補助継鉄２２への磁束の流れ込みを少なくしたものであるが、本発明者らは、この長孔２２ｃを設けた補助継鉄２２による効果の検証のために、比較テストを行った。
【００４６】
比較テストは、長孔２２ｃを開設した補助継鉄２２を使用したリレー（実施例）、孔のない補助継鉄を使用したリレー（比較例１）、長手方向に対称的な２孔を開設した補助継鉄を使用したリレー（比較例２）について行い、比較例１、２を基準として、実施例のリレーがどの程度の磁気吸引力の向上があったかを測定した。なお、補助継鉄以外の条件は同一とした。
【００４７】
図５（ａ）、（ｂ）、（ｃ）はそれぞれ、実施例、比較例１、比較例２に対応し、励磁時の磁束の流れを示した、電磁石ブロック１０と接極子ブロック２０の模式図であり、それぞれの模式図に対応して、それらの図の各右側には、それぞれの接極子ブロック２０で使用した補助継鉄２２、２２Ａ、２２Ｂの各形状を図示している。また図６には、実施例、比較例１、比較例２の評価対比表を示している。
【００４８】
これらの図からわかるように、１つの長孔２２ｃを開設した補助継鉄２２を使用した実施例の場合には、孔を有さない補助継鉄２２Ａを使用した比較例１にくらべて、磁気吸引力の幅が、図９のグラフのＡ部において５０％向上し、Ｂ部においては９０％向上しており、また２孔２２Ｂｃを有した補助継鉄２２Ｂを使用した比較例２にくらべても、Ａ部で１５％、Ｂ部で１９％向上していることが確認された。これによって、長孔２２ｃの形成によって磁気抵抗が増大して、補助継鉄２２への磁束の流れ込みが少なくなり、比較例にくらべて磁極片１１ａ、１１ｂへの磁束の量が増大していることが判明した。また比較例２によれば、比較例１にくらべてある程度の磁気吸引力の向上は見られたが、実施例ほどの効果は得られなかった。
【００４９】
このように、同ラッチングリレー１は補助継鉄２２の長孔２２ｃによって磁気吸引力が大幅に増大されるため、制御接点の可動接点バネ３２のバネ負荷の調整を容易に行うことができる。
【００５０】
また、補助継鉄２２の長孔２２ｃによって磁気抵抗が増大するため、無励磁時の永久磁石２１から補助継鉄２２を介して、継鉄１１の磁極片１１ａ、１１ｂ、接極子２４へと流れる磁束の量も低減されるが、接極子２４の吸引保持が妨げられることはなかった。
【００５１】
次に、同ラッチングリレー１における制御接点の切換え動作について、図３を参照しながら説明する。なお、方向を示す上下左右は、図３の方向を基準とする。また図３は、制御接点がオフの状態を示している。
【００５２】
図３の状態において、継鉄１１の下側の磁極片１１ａが磁極となるような方向に電流を流して電磁石を励磁すると、閉磁路をなすよう、接極子２４の一端（下端部２４ｄ）は、磁極となった磁極片１１ａに吸引され、接極子２４の支点用凸部２４ａを回動支点として、接極子２４が時計回りに回動する。その結果、接極子２４の上端の突片２４ｃを一端側に連結させたリンク部材５０が、可動接点バネ３２の方向に向かってスライド移動し、リンク部材５０の他端に連結された可動接点バネ３２が、固定端子板４２へ向かって移動して、可動接点バネ３２に固着された可動接点３３が固定端子板４２の固定接点４３に接触して、接点切換えがなされる（接点オンとなる）。
【００５３】
コイル１３の励磁を停止すると、電磁石による磁束を形成しなくなるため、下側の磁極片１１ａの接極子２１に対する磁気吸引力は弱まるが、永久磁石２１の磁力が作用しているため、接極子２４の下端部２４ｄは、継鉄１１の下側磁極片１１ａに当接した状態が保持される。
【００５４】
この状態で、上述した方向とは逆方向へ電流を流してコイル１３が励磁されると、閉磁路をなすよう、接極子２４の上端部２４ｅは、磁極となった継鉄１１の上側の磁極片１１ｂに吸引され、接極子２４の支点用凸部２４ａを回動支点として、接極子２４が反時計回りに回動する。その結果、接極子２４の突片２４ｃを連結させたリンク部材５０が可動接点バネ３２から遠ざかる方向に向かってスライド移動し、リンク部材５０の他端に連結された可動接点バネ３２が、固定端子板４２から離れるように移動して、可動バネ３２の可動接点３３が固定端子板４２の固定接点４３から開離する（接点オフとなる。図３の状態）。
【００５５】
コイル１３の励磁を停止すると、電磁石による磁束を形成しなくなるため、上側の磁極片１１ｂの接極子２４に対する磁気吸引力は弱まるが、永久磁石２１の磁力が作用するため、接極子２４の上端部２４ｅが継鉄１１の上側磁極片１１ｂに当接した状態が保持される。
【００５６】
以上の第１の実施形態についての説明では、補助継鉄２２側をＮ極、接極子２４側をＳ極として永久磁石２１を配設した例を示したが、磁極を逆とする配置でもよく、その場合にも上記の例と同様に、補助継鉄２２に長孔２２ｃを設けることで補助継鉄２２への磁束の流れ込みを低減できることはいうまでもない。
【００５７】
ついで、第２の実施形態について説明する。
【００５８】
図７（ａ）、（ｂ）は、第２の実施形態のラッチングリレーに使用される補助継鉄の２例を示した斜視図である。この２例はともに、第１の実施形態で示したような長孔は有していないが、その他の構成については同様であるため、同一の符号を付して、その説明は省略する。
【００５９】
これらの補助継鉄２２はいずれも、両端の係合部２２ｂの磁気抵抗を本体部２２ａよりも大きくすることを目的として形成されており、図７（ａ）では両端の係合部２２ｂを本体部２２ａよりも薄厚に形成し、（ｂ）では両端の係合部２２ｂを非磁性体材料で形成しており、このような構造によって、係合部２２ｂを本体部２２ａと同様の磁気抵抗としているものにくらべて、継鉄からの磁束の流れ込みを低減し、継鉄１１の磁極片１１ａ、１１ｂへの磁束の量を増大させることができる。
【００６０】
なお、係合部２２ｂの磁気抵抗は、無励磁時の永久磁石２１から補助継鉄２２を介して、継鉄１１の磁極片１１ａ、１１ｂ、接極子２４へと流れる磁束の量とのバランスを考慮して調整する必要があることはいうまでもない。
【００６１】
また、係合部２２ｂの磁気抵抗を小さくするために、継鉄１１の磁極片１１ａ、１１ｂへ係合、接触する面積が大きくなるような係合部を備えた補助継鉄を使用してもよい。
【００６２】
第２の実施形態については、補助継鉄２２の構造が上記の点で第１の実施形態と異なるが、その他の構成については同様であるため、接極子ブロックの補助継鉄以外の構成部材、電磁石ブロック、可動接点ブロック、固定接点ブロック、リンク部材および制御接点の切換え動作については、説明を割愛する。
【図面の簡単な説明】
【００６３】
【図１】第１の実施形態のラッチングリレーに使用される接極子ブロックの分解斜視図である。
【図２】同接極子ブロックの組み立てた状態を示す斜視図である。
【図３】カバー部材をはずした状態の同ラッチングリレーの正面図である。
【図４】同ラッチングリレーに使用される電磁石ブロックと接極子ブロックの連結関係を示したもので、（ａ）は分解斜視図、（ｂ）は結合状態を示した斜視図である。
【図５】（ａ）、（ｂ）、（ｃ）はそれぞれ、実施例、比較例１、２に対応した励磁時の磁束の流れを示した模式説明図である。
【図６】実施例と比較例の評価対比表である。
【図７】（ａ）、（ｂ）は、第２の実施形態のラッチングリレーに使用される補助継鉄の２例を示した斜視図である。
【図８】（ａ）、（ｂ）はそれぞれ、従来のラッチングリレーの無励磁時、励磁時の磁束の流れを示した模式説明図である。
【図９】磁気吸引力とバネ負荷との相関を示すグラフである。
【符号の説明】
【００６４】
１      ラッチングリレー
２      ベース部材
１０      電磁石ブロック
１１      継鉄
１１ａ、１１ｂ      磁極片
１３      コイル
２０      接極子ブロック
２１      永久磁石
２２      補助継鉄
２２ａ      本体部
２２ｂ      係合部
２２ｃ      長孔
２３      ヒンジ部材
２４      接極子
２４ａ      支点用凸部（支点）
３０      可動接点ブロック
３２      可動接点バネ
４０      固定接点ブロック
４２      固定端子板
５０      リンク部材
【図１】
2009199732.tif 000003
【図２】
2009199732.tif 000004
【図３】
2009199732.tif 000005
【図４】
2009199732.tif 000006
【図５】
2009199732.tif 000007
【図６】
2009199732.tif 000008
【図７】
2009199732.tif 000009
【図８】
2009199732.tif 000010
【図９】
2009199732.tif 000011